(57)【要約】      （修正有）【課題】車両や建造物等の壁面に多数個取着された壁面昇降用照明付ステップ用具において、起伏回動自在に枢着されたステップ部材の回動に連動して、ステップ面を照明するＬＥＤ等の照明具が点滅する壁面昇降用照明付ステップ用具を提供する。【解決手段】ステップ用具を壁面に固定するための固定台座１０と、固定台座１０に起伏回動自在に枢着されたステップ部材２０とからなり、ステップ部材２０は、後方に固定台座１０に枢着される枢支部２２を有する方形フレーム状のステップ板２１で形成され、固定台座１０の前面上部には、ステップ板２０上を照明する照明具１４が設けられ、照明具１４がステップ部材２０の起伏回動に連動して起立状態時に消灯、伏臥状態時に点灯させるスイッチ機構を具えてなる壁面昇降用照明付ステップ用具による。【選択図】図１
0003204716.tif 000002
【実用新案登録請求の範囲】
【請求項１】
車両、建造物等の壁面に上下に多数個が取着されて作業員の壁面昇降に利用される壁面昇降用照明付ステップ用具であって、
前記ステップ用具を前記壁面に固定するための固定台座と、該固定台座に起伏回動自在に枢着されたステップ部材とからなり、該ステップ部材は、後方に前記固定台座に枢着される枢支部を有する方形フレーム状のステップ板で形成され、
前記固定台座の前面上部には、ステップ板上を照明する照明具が設けられ、該照明具がステップ部材の起伏回動に連動して起立状態時に消灯、伏臥状態時に点灯させるスイッチ機構を具えてなることを特徴とする壁面昇降用照明付ステップ用具。
【請求項２】
前記照明具が、ＬＥＤ、ＥＬ素子、蛍光素子、豆電球のいずれか１種の発光体を用いてなるものであることを特徴とする請求項１に記載の壁面昇降用照明付ステップ用具。
【請求項３】
前記照明具を点滅させるスイッチ機構が、前記ステップ部材の起伏によって前記固定台座とステップ部材とが接近、離脱又はその間隔が変化する部位に設けられた近接スイッチ又はマイクロスイッチで構成されてなることを特徴とする請求項１又は２に記載の壁面昇降用照明付ステップ用具。
【請求項４】
前記近接スイッチ又はマイクロスイッチが、前記固定台座と前記ステップ部材との枢着部に配設された板バネの後方に配設され、前記ステップ部材の後方部に設けられ前記板バネに当接するようにして固定台座に枢着された枢支部の後端が、ステップ部材の伏臥時に前記板バネの前面を押圧して前記板バネを後方に撓曲させ、前記近接スイッチではこの板バネの撓曲による近接を検知して点灯し、マイクロスイッチではこの板バネの撓曲によってアクチュエータが押されて点灯するよう構成されてなることを特徴とする請求項３に記載の壁面昇降用照明付ステップ用具。
【請求項５】
前記方形フレーム状のステップ板が、内側に大開口部を有し、かつ、前記大開口部の内側縁部に複数の波形切欠部を形成してなることを特徴とする請求項１〜４のいずれか１項に記載の壁面昇降用照明付ステップ用具。
【考案の詳細な説明】
【技術分野】
【０００１】
車両、建造物等の壁面に上下に多数個が取着されて作業員の壁面昇降に利用される壁面昇降用照明付ステップ用具に係り、特に壁面に固定するための固定台座に、前記固定台座に起伏回動自在に枢着されたステップ部材の上面を照明する照明具を具え、前記ステップ部材の起立状態時に消灯、伏臥状態時に点灯させるスイッチ機構を具えた壁面昇降用照明付ステップ用具に関する。
【背景技術】
【０００２】
車両の壁面に取着された壁面昇降用ステップ具としては、鉄道車の連結部の壁面に設けられたものや、消防車両に備えられたものをよく見かけるが、開示されている発明としては、特許文献１の請求項３に、
「屋根上昇降ステップを、車端側外板寄りに配置し、該部品の表面は走行時に側外板と平滑状態に組込されたことを特徴とする高速車輌の車間接続装置」との記載がある。しかしこの発明におけるステップは、明細書の段落「００２５」の記述と「図５」「図７」とから、「車端の車体に垂直方向に設けられた複数のステップ穴に、リンクとロッドによって上下方向に回動自在な蓋が設けられ、車輌下部の取手を引けばステップ穴が開放し、走行時は蓋が閉じるというもので、高速車輌の走行時の騒音軽減を目的とした発明の一部をなすもので、作業員の壁面昇降時の利便性を求めた本発明の目的とは異なるものである。
一方建築分野で使用される昇降用ステップ用具の発明としては、特許文献２の、
「一端部に握持部を形成した足掛体の他端に仮設用パイプなどの被止着管体に抱持止着するクランプ部材を付設したことを特徴とする建築用登降装置」や、
特許文献３の、
「壁体や柱体などの被止体に止着する止着体と、この止着体に係止する足掛体とより成るものであって、止着体の板面を膨出させて被止着の表面との間に所定の係止間隔を介在せしめた係止条を形成し、一方足掛体の被止着体側に垂設した係止板に前記係止間隔に挿入契合する係合挿入部を設け、この係合挿入部の基部に前記係止条上縁に係止する当接係止縁を形成し、係合挿入部の巾を、前記止着板の係止着体の表面との係止間隔にほぼ合致させた巾に形成したことを特徴とする建築用登降装置」
等が開示されているが、いずれも建築作業時に鉄骨等に設置される登降装置であり、コンクリート打設時には鉄骨から撤去されることを前提としたものであり、本願発明の車両や建築物の壁面に固定、常備して使用するには構造が複雑過ぎ、また起伏回動自在にはなっていないという問題もある。
さらに、前記３件の特許文献とも、ステップ面を照明する手段を備えてはいない。
【先行技術文献】
【特許文献】
【０００３】
【特許文献１】特開平６−２７０８０２号公報
【特許文献２】実開平６−７４７４１号公報
【特許文献３】特開平５−２３９９１３号公報
【考案の概要】
【考案が解決しようとする課題】
【０００４】
本考案は、上記背景技術の状況に鑑みてなされたものであって、車両や建造物等の壁面に多数個取着され作業員の昇降に使用される壁面昇降用照明付ステップ用具を壁面に固定する固定台座に起伏回動自在に枢着されたステップ部材の起伏回動に連動して、ステップ面を照明する照明具が点滅するスイッチ機構を具えて、特に夜間における作業員の昇降の安全確保と利便性の向上を図ることを課題とした。
【課題を解決するための手段】
【０００５】
本考案者は、上記課題を下記の手段により解決した。
（１）車両、建造物等の壁面に上下に多数個が取着されて作業員の壁面昇降に利用される壁面昇降用照明付ステップ用具であって、
前記ステップ用具を前記壁面に固定するための固定台座と、該固定台座に起伏回動自在に枢着されたステップ部材とからなり、該ステップ部材は、後方に前記固定台座に枢着される枢支部を有する方形フレーム状のステップ板で形成され、
前記固定台座の前面上部には、ステップ板上を照明するＬＥＤが設けられ、該ＬＥＤがステップ部材の起伏回動に連動して起立状態時に消灯、伏臥状態時に点灯させるスイッチ機構を具えてなることを特徴とする壁面昇降用照明付ステップ用具。
（２）前記照明具が、ＬＥＤ、ＥＬ素子、蛍光素子、豆電球のいずれか１種の発光体を用いてなるものであることを特徴とする（１）に記載の壁面昇降用照明付ステップ用具。
前記照明具を点滅させるスイッチ機構が、前記ステップ部材の起伏によって前記固定台座とステップ部材とが接近、離脱又はその間隔が変化する部位に設けられた近接スイッチ又はマイクロスイッチで構成されてなることを特徴とする請求項１又は２に記載の壁面昇降用照明付きステップ用具。
（３）前記照明具を点滅させるスイッチ機構が、前記ステップ部材の起伏によって前記固定台座とステップ部材とが接近、離脱又はその間隔が変化する部位に設けられた近接スイッチ又はマイクロスイッチで構成されてなることを特徴とする（１）又は（２）に記載の壁面昇降用照明付きステップ用具。
（４）前記近接スイッチ又はマイクロスイッチが、前記固定台座と前記ステップ部材との枢着部に配設された板バネの後方に配設され、前記ステップ部材の後方部に設けられ前記板バネに当接するようにして固定台座に枢着された枢支部の後端が、ステップ部材の伏臥時に前記板バネの前面を押圧して前記板バネを後方に撓曲させ、前記近接スイッチではこの板バネの撓曲による近接を検知して点灯し、マイクロスイッチではこの板バネの撓曲によってアクチュエータが押されて点灯するよう構成されてなることを特徴とする（３）に記載の壁面昇降用照明付きステップ用具。
（５）前記方形フレーム状のステップ板が、内側に大開口部を有し、かつ、前記大開口部の内側縁部に複数の波形切欠部を形成してなることを特徴とする（１）〜（４）のいずれか１項に記載の壁面昇降用照明付ステップ用具。
【考案の効果】
【０００６】
本考案の壁面昇降用照明付ステップ用具によって下記の効果が発揮される。
〈１〉車両、建造物等の壁面に上下に多数個が取着されて作業員の壁面昇降に利用される壁面昇降用照明付ステップ用具であって、
前記ステップ用具を前記壁面に固定するための固定台座と、該固定台座に起伏回動自在に枢着されたステップ部材とからなり、該ステップ部材は、後方に前記固定台座に枢着される枢支部を有する方形フレーム状のステップ板で形成され、
前記固定台座の前面上部には、ステップ板上を照明するＬＥＤが設けられ、該ＬＥＤがステップ部材の起伏回動に連動して起立状態時に消灯、伏臥状態時に点灯させるスイッチ機構を具えているので、
特に夜間における車両や建造物の壁面への昇降が、下方の前記壁面昇降用照明付ステップ用具から順次伏臥位置に回動させていくことによって、ＬＥＤが点灯してステップ板の上面が照らされて次に掛ける足場が明確になり、壁面を昇る作業員の安全が確保でき、利便性も向上する。
〈２〉  前記照明具が、ＬＥＤ、ＥＬ素子、蛍光素子、豆電球のいずれか１種の発光体を用いてなるものであるので、
発光体の寿命、前記固定台座への装着の容易さ、ステップ面の必要照度、消費電力量等の使用条件を勘案してより適切なものを選択して使用できる。
〈３〉前記照明具を点滅させるスイッチ機構が、前記ステップ部材の起伏によって前記固定台座とステップ部材とが接近、離脱又はその間隔が変化する部位に設けられた近接スイッチ又はマイクロスイッチで構成されているので、
前記固定台座とステップ部材の枢着部の構造や起伏回動操作に支障を与えない位置に、より小型で簡便な機構のスイッチを選択して使用できる。
また、近接スイッチにあっては物体の接近を非接触で検知して０Ｎ・ＯＦＦすることから、高速応答、長寿命、高い信頼性の点灯機構が得られる。
〈４〉前記近接スイッチ又はマイクロスイッチが、前記固定台座と前記ステップ部材との枢着部に配設された板バネの後方に配設され、前記ステップ部材の後方部に設けられ前記板バネに当接するようにして固定台座に枢着された枢支部の後端が、ステップ部材の伏臥時に前記板バネの前面を押圧して前記板バネを後方に撓曲させ、前記近接スイッチではこの板バネの撓曲による近接を検知して点灯し、マイクロスイッチではこの板バネの撓曲によってアクチュエータが押されて点灯するよう構成されているので、
小型、簡便なスイッチ機構で、ステップ部材の起伏回動に連動して照明具の点滅が確実に実施できる。
〈５〉前記方形フレーム状のステップ板が、内側に大開口部を有し、かつ、前記大開口部の内側縁部に複数の波形切欠部を形成しているので、
フレーム縁部への指掛かりが安定し、把持しやすいことから、前記ステップ部材の起伏回動操作時における片手両足による３点確保が安全確実に行え、簡便で安全な壁面昇降用照明付ステップ用具が提供できる。
【図面の簡単な説明】
【０００７】
【図１】本考案の壁面昇降用照明付ステップ用具を構成する各部材の斜視図
【図２】本考案の壁面昇降用照明付ステップ用具を車両側壁面に取着した実施例の概要図
【図３】本考案の壁面昇降用照明付ステップ用具の横断面図
【図４】本考案の壁面昇降用照明付ステップ用具を把持した状態を示す説明図
【考案を実施するための形態】
【０００８】
本考案の壁面昇降用照明付ステップ用具を実施するための形態を、実施例の図面に基づいて説明する。
図１は本考案の壁面昇降用照明付ステップ用具を構成する各部材の斜視図、図２は本考案の壁面昇降用照明付ステップ用具を車両側壁面に取着した実施例の概要図、図３は本考案の壁面昇降用照明付ステップ用具の横断面図であり、（ａ）はステップ部材が伏臥し、照明具が点灯しているときの状態を、（ｂ）はステップ部材が起立し、照明具が消灯しているときの状態を示している。、そして図４は本発明の壁面昇降用照明付ステップ用具を把持した状態を示す説明図である。
図において１は壁面昇降用照明付ステップ用具、２は車両、１０は固定台座、１１は固定台座に設けられたステップ部材取付用軸受け、１２は板バネ取付溝、１３は壁面取付用ねじ孔、１４は照明具、１５は照明具取付基板、１６は照明光照射窓、１７はマイクロスイッチ、１７ａはマイクロスイッチのアクチュエータ、２０はステップ部材、２１はステップ板、２２はステップ部材を前記固定台座１０に枢着する枢支部、２３は前記固定台座１０のステップ部材取付用軸受け１１に枢着される回動軸、２４はステップ板２１の内側の開口部、２５は前記開口部２４の縁部に形成された波形切欠部、３０は板バネ、４０は後板を示す。
【０００９】
本考案の壁面昇降用照明付ステップ用具１は、図２の車両側壁面に取着した実施例の概要図に示すように、車両、建造物等の壁面に上下に多数個が取着されて作業員の壁面の昇降に利用されるものであって、図１に示すように該壁面昇降用照明付ステップ用具１を車両２や建造物等の壁面に固定する固定台座１０と、該固定台座１０に起伏回動自在に枢着されたステップ部材２０とからなり、該ステップ部材２０は、後方に前記固定台座１０に枢着される枢支部２２を有する方形フレーム状のステップ板２１で形成されている。
そして前記固定台座１０の前面上部には、ステップ板２１の上面を照明する照明具１４
と、照明光照射窓１６が設けられ、該照明具１４がステップ部材２０の起伏回動に連動して起立状態時に消灯、伏臥状態時に点灯させるスイッチ機構とを具えている。
【００１０】
前記照明具１４を点滅させるスイッチ機構は、前記ステップ部材２０の起伏によって前記固定台座１０とステップ部材２０とが接近、離脱又はその間隔が変化する部位に設けられた近接スイッチ又はマイクロスイッチ１７で構成される。
本実施例で示すスイッチ機構は、図３に示すように前記固定台座１０に配設された板バネ３０と、その後方に配設されたマイクロスイッチ１７とによって構成され、前記固定台座１０に枢着されたステップ部材２０の前枢支部２２の後端部が前記ステップ部材２０起伏回動に伴って、伏臥状態時には図３（ａ）に示すように、前記板バネ３０を後方に撓曲させ、前記撓曲した板バネ３０が前記マイクロスイッチ１７のアクチュエータ１７ａを後方に押す作用によってマイクロスイッチ１７がＯＮとなり照明具１４が点灯する仕組みとなっている。そして、起立状態時には図３（ｂ）に示すように、前記板バネ３０の後方への撓曲が生ぜず、したがってマイクロスイッチ１７のアクチュエータ１７ａは前方に留まるので、マイクロスイッチ１７はＯＦＦでとなり照明具１４は消灯状態となる。
前記マイクロスイッチ１７はマイクロスイッチ取付板１７を介して後板４０にねじ止めされている。
本実施例における点灯機構のマイクロスイッチ１７に変えて  金属の存在を検出する誘導型近接スイッチ、物体の存在を検出する静電容量型スイッチを用いれば、前記近接スイッチが物体の接近を非接触で検知して照明具１４を０Ｎ・ＯＦＦすることから、高速応答、長寿命、高い信頼性の点灯機構が得られるので好ましい。
なお、前記照明具１４は伏臥状態にあるステップ板２１の上面を効率よく照射するために、下方に傾けられた取付基板１５の上に取り付けられ、照明光照射窓１６の形状も照射効果が高められるよう考慮されている。
【００１１】
また、図１に示すように、ステップ板２１の内側に大開口部２４を有し、かつ、前記大開口部２４の内側縁部に複数の波形切欠部２５が形成されている。
この波形切欠部２５は、作業員が壁面昇降用ステップ具１を使用して車両２や建造物等の壁面を昇降する際に把持しやすくするためのものであって、図１に示した実施例では、大開口部２４の内側に４個の波形切欠部２４が形成されており、図４に示すように、前記大開口部２４にステップ板の上方から挿入する親指を除く４本の指が各切欠部２４にそれそれぞれ当接し、ステップ板２１の下方から当接する親指とで確実に容易に把持できる形状となっている。
そして、図３（ｂ）に示すように、前記ステップ部材２０を起立状態にした時、前記ステップ板２１内側の大開口部２４が、前記固定台座１０の上端より高い位置に存在するよう形成されているので、ステップ部材２０を起立位置から伏臥位置に回動させようとする場合に、前記ステップ板２１の大開口部２４に指が掛けやすく、回動操作のしやすいものとなっている。
さらに、ステップ板２１の上面は細かな凹凸面構造として足を掛けたときの滑り止め効果を高めている。
【符号の説明】
【００１２】
１：壁面昇降用照明付ステップ用具
２：車両
１０：固定台座
１１：固定台座に設けられたステップ部材取付用軸受け
１２：板バネ取付溝
１３：壁面取付用ねじ孔
１４：照明具
１５：照明具取付基板
１６：照明光照射窓
１７：マイクロスイッチ
１７ａ：アクチュエータ
１８：マイクロスイッチ取付板
２０：ステップ部材
２１：ステップ板
２２：枢支部
２３：回動軸
２４：開口部
２５：波形切欠部
３０：板バネ
４０：後板
【図１】
0003204716.tif 000003
【図２】
0003204716.tif 000004
【図３】
0003204716.tif 000005
【図４】
0003204716.tif 000006